(57)【要約】【課題】印刷物の一部を通常の排出先とは異なる排出先に排出するサンプルプリントを行う場合に、出力範囲を指定した再出力指示を容易に行うことを可能とする。【解決手段】出力画像記憶部４３は、サンプル出力が指示された場合、サンプル出力の確認が終了するまで、画像出力部３２に対して出力された画像データを記憶する。再出力指示受付部４２は、画像を出力する範囲を指定した再出力指示を受け付ける。出力制御部４１は、再出力指示受付部４２により受け付けた再出力指示に基づいて、出力画像記憶部４３に記憶されている画像データのうち再出力を指示された画像データが出力されるように画像出力部３２を制御する。【選択図】図３
2009166304.tif 000002
【特許請求の範囲】
【請求項１】
入力された画像データに基づいた画像を出力する画像出力手段と、
サンプル出力が指示された場合、サンプル出力の確認が終了するまで、前記画像出力手段に対して出力された画像データを記憶する出力画像記憶手段と、
予め設定されたサンプル出力方法に基づいて、前記画像出力手段により出力される印刷物の一部をサンプル出力として他の印刷物の排出先とは異なる排出先に排出するよう前記画像出力手段を制御するサンプル出力制御手段と、
画像を出力する範囲を指定した再出力指示を受け付ける再出力指示受付手段と、
前記再出力指示受付手段により受け付けた再出力指示に基づいて、前記出力画像記憶手段に記憶されている画像データのうち再出力を指示された画像データが出力されるように前記画像出力手段を制御する画像出力制御手段と、
を有する画像形成装置。
【請求項２】
前記サンプル出力制御手段は、サンプル出力が前記画像出力手段から出力される際に、当該サンプル出力に関する情報であるサンプル識別情報が印刷された用紙が各サンプル出力に対応して出力されるように前記画像出力手段を制御する請求項１記載の画像形成装置。
【請求項３】
前記サンプル識別情報には、サンプル出力を特定するための識別情報および印刷ジョブ中の出力位置を示す情報が含まれる請求項２記載の画像形成装置。
【請求項４】
前記サンプル識別情報が印刷された用紙からサンプル識別情報を読み取る読取手段と、
前記読取手段により読み取られたサンプル識別情報に基づいて、再出力指示を生成する再出力指示生成手段とをさらに有し、
前記画像出力制御手段は、前記再出力指示生成手段により生成された再出力指示に基づいて、前記出力画像記憶手段に記憶されている画像データのうち再出力を指示された画像データが出力されるように前記画像出力手段を制御する請求項１から３のいずれか１項記載の画像形成装置。
【請求項５】
前記再出力指示生成手段は、前記読取手段によりサンプル識別情報が印刷された２枚の用紙が連続して読み取られた場合、読み取られた２つのサンプル識別情報により特定される範囲を指定した再出力指示を生成する請求項４記載の画像形成装置。
【請求項６】
前記サンプル識別情報が２次元コードにより用紙上に印刷されている請求項２から５のいずれか１項記載の画像形成装置。
【請求項７】
予め設定されたサンプル出力方法に基づいて、画像出力手段により出力される印刷物の一部をサンプル出力として他の印刷物の排出先とは異なる排出先に排出するステップと、
画像を出力する範囲を指定した再出力指示を受け付けるステップと、
受け付けた再出力指示に基づいて、記憶されている画像データのうち再出力を指示された画像データが出力されるように前記画像出力手段を制御するステップとをコンピュータに実行させるためのプログラム。
【発明の詳細な説明】
【技術分野】
【０００１】
本発明は、画像形成装置およびプログラムに関する。
【背景技術】
【０００２】
画像形成システムにより大量の印刷を行う場合、印刷物はスタッカ等の収容装置に収容される。しかし、印刷が実行されている最中にスタッカ内に収容された印刷物を取り出すことは困難であるため、印刷実行中に印刷結果を確認することはできない。
【０００３】
そのため、大量の印刷を行う場合に、印刷途中で出力内容が正しいことを確認したり、印刷ジョブの途中で画質が劣化していないことを確認したりすることを目的として、印刷結果の一部を抜き出して上部トレイ等の通常の排出先とは異なる排出先に排出するサンプルプリントを行う技術が開示されている（例えば、特許文献１参照。）。
【０００４】
この特許文献１には、ジャム発生やトナー切れのように印刷結果に影響を与えるような特定の事象が画像出力プロセス中に発生した場合に、印刷物を通常排出先とは異なる排出先に排出し、ユーザに確認させるとともに、その印刷物の再出力を可能とした技術が開示されている。この特許文献１に開示されている技術によれば、異なる排出先に排出された印刷物について、ユーザからの指示に基づいて再出力することが可能となる。
【０００５】
【特許文献１】特開２００５−１４４７９７号公報
【発明の開示】
【発明が解決しようとする課題】
【０００６】
しかし、上記の特許文献１に開示された方法では、通常の排出先とは異なる排出先に排出された印刷物のみを再出力することしかできない。そのため、印刷ジョブの途中から徐々に画像劣化が進行したような場合には、画像劣化が発生した範囲を指定して再出力するようなことはできない。さらに、複数のサンプル出力を後からまとめてチェックして再出力を指示する場合、出力されたサンプルが印刷ジョブのどの部分に該当するかを判断しなければならず、再出力を指示するためには困難が伴う。
【０００７】
本発明の目的は、印刷物の一部を通常の排出先とは異なる排出先に排出するサンプルプリントを行う場合に、出力範囲を指定した再出力指示を容易に行うことが可能な画像形成装置およびプログラムを提供することである。
【課題を解決するための手段】
【０００８】
［画像形成装置］
請求項１に係る本発明は、入力された画像データに基づいた画像を出力する画像出力手段と、
サンプル出力が指示された場合、サンプル出力の確認が終了するまで、前記画像出力手段に対して出力された画像データを記憶する出力画像記憶手段と、
予め設定されたサンプル出力方法に基づいて、前記画像出力手段により出力される印刷物の一部をサンプル出力として他の印刷物の排出先とは異なる排出先に排出するよう前記画像出力手段を制御するサンプル出力制御手段と、
画像を出力する範囲を指定した再出力指示を受け付ける再出力指示受付手段と、
前記再出力指示受付手段により受け付けた再出力指示に基づいて、前記出力画像記憶手段に記憶されている画像データのうち再出力を指示された画像データが出力されるように前記画像出力手段を制御する画像出力制御手段とを有する画像形成装置である。
【０００９】
本発明では、画像出力手段により出力された画像データを、サンプル出力の確認が終了するまで出力画像記憶手段に記憶しておき、画像を出力する範囲を指定した再出力指示が受け付けられた場合、画像出力制御手段は、受け付けた再出力指示に基づいて出力済みの画像データの再出力を行うようにしている。したがって、本発明によれば、印刷物の一部を通常の排出先とは異なる排出先に排出するサンプルプリントを行う場合に、出力範囲を指定した再出力指示を容易に行うことができる。
【００１０】
請求項２に係る本発明は、前記サンプル出力制御手段が、サンプル出力が前記画像出力手段から出力される際に、当該サンプル出力に関する情報であるサンプル識別情報が印刷された用紙が各サンプル出力に対応して出力されるように前記画像出力手段を制御する請求項１記載の画像形成装置である。
【００１１】
本発明によれば、サンプル識別情報が印刷された用紙が各サンプル出力に対応して出力されるので、再出力指示を容易に行うことが可能となる。
【００１２】
請求項３に係る本発明は、前記サンプル識別情報には、サンプル出力を特定するための識別情報および印刷ジョブ中の出力位置を示す情報が含まれる請求項２記載の画像形成装置である。
【００１３】
請求項４に係る本発明は、前記サンプル識別情報が印刷された用紙からサンプル識別情報を読み取る読取手段と、
前記読取手段により読み取られたサンプル識別情報に基づいて、再出力指示を生成する再出力指示生成手段とをさらに有し、
前記画像出力制御手段が、前記再出力指示生成手段により生成された再出力指示に基づいて、前記出力画像記憶手段に記憶されている画像データのうち再出力を指示された画像データが出力されるように前記画像出力手段を制御する請求項１から３のいずれか１項記載の画像形成装置である。
【００１４】
本発明によれば、サンプル識別情報が印刷された用紙を読取手段により読み取らせるだけで再出力指示を行うことができるので、再出力範囲を直接入力する場合と比較して再出力指示を容易に行うことが可能となる。
【００１５】
請求項５に係る本発明は、前記再出力指示生成手段が、前記読取手段によりサンプル識別情報が印刷された２枚の用紙が連続して読み取られた場合、読み取られた２つのサンプル識別情報により特定される範囲を指定した再出力指示を生成する請求項４記載の画像形成装置である。
【００１６】
本発明によれば、サンプル識別情報が印刷された２枚の用紙を読取手段により読み取らせ、再出力範囲の始点と終点を設定して再出力指示を行うことができるので、再出力範囲を直接入力する場合と比較して再出力指示を容易に行うことが可能となる。
【００１７】
請求項６に係る本発明は、前記サンプル識別情報が２次元コードにより用紙上に印刷されている請求項２から５のいずれか１項記載の画像形成装置である。
【００１８】
［プログラム］
請求項７に係る本発明は、予め設定されたサンプル出力方法に基づいて、画像出力手段により出力される印刷物の一部をサンプル出力として他の印刷物の排出先とは異なる排出先に排出するステップと、
画像を出力する範囲を指定した再出力指示を受け付けるステップと、
【００１９】
受け付けた再出力指示に基づいて、記憶されている画像データのうち再出力を指示された画像データが出力されるように前記画像出力手段を制御するステップとをコンピュータに実行させるためのプログラムである。
【発明の効果】
【００２０】
以上説明したように、本発明によれば、印刷物の一部を通常の排出先とは異なる排出先に排出するサンプルプリントを行う場合に、出力範囲を指定した再出力指示を容易に行うことができるという効果を得ることができる。
【発明を実施するための最良の形態】
【００２１】
次に、本発明の実施の形態について図面を参照して詳細に説明する。
【００２２】
[第１の実施形態]
図１は本発明の第１の実施形態の画像形成システムの構成を示すブロック図である。
【００２３】
本発明の第１の実施形態の画像形成システムは、図１に示されるように、ネットワーク３０により接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、出力された印刷物を大量に収容可能なＨＣＳ（High Capacity Stacker）１１を有している。
【００２４】
次に、本実施形態の画像形成システムにおける画像形成装置１０のハードウェア構成を図２に示す。
【００２５】
画像形成装置１０は、図２に示されるように、ＣＰＵ２１、メモリ２２、ハードディスクドライブ（ＨＤＤ）等の記憶装置２３、ネットワーク３０を介して端末装置２０等の外部の装置との間でデータの送信及び受信を行う通信インタフェース（ＩＦ）２４、タッチパネル又は液晶ディスプレイ並びにキーボードを含むユーザインタフェース（ＵＩ）装置２５、スキャナ２６、プリントエンジン２７を有する。これらの構成要素は、制御バス２８を介して互いに接続されている。
【００２６】
ＣＰＵ２１は、メモリ２２または記憶装置２３に格納された制御プログラムに基づいて所定の処理を実行して、画像形成装置１０の動作を制御する。
【００２７】
なお、本実施形態では、ＣＰＵ２１は、メモリ２２または記憶装置２３内に格納された制御プログラムを読み出して実行するものとして説明したが、当該プログラムをＣＤ−ＲＯＭ等の記憶媒体に格納してＣＰＵ２１に提供することも可能である。
【００２８】
図３は、上記の制御プログラムが実行されることにより実現される画像形成装置１０の機能構成を示すブロック図である。
【００２９】
本実施形態の画像形成装置１０は、図３に示されるように、コントローラ３１と、画像出力部３２と、表示装置３３とを備えている。また、コントローラ３１は、出力制御部４１と、再出力指示受付部４２と、出力画像記憶部４３とを有している。
【００３０】
画像出力部３２は、出力制御部４１による制御に基づいて、入力された画像データに基づいた画像を出力する。表示装置３３は、どのようなサンプル出力を行ったのかを示すためのサンプル確認画面や、再出力指示を受け付けるための再出力指示画面等を表示する。
【００３１】
出力画像記憶部４３は、サンプル出力が指示された場合、サンプル出力の確認が終了するまで、画像出力部３２に対して出力された画像データを記憶する。再出力指示受付部４２は、画像を出力する範囲を指定した再出力指示を受け付ける。
【００３２】
出力制御部４１は、端末装置２０からの印刷指示に基づいて、画像出力部３２の出力動作を制御している。また、出力制御部４１は、サンプル出力を行うことが設定された場合、予め設定されたサンプル出力方法に基づいて、画像出力部３２により出力される印刷物の一部をサンプル出力として他の印刷物の排出先とは異なる排出先に排出するよう画像出力部３２を制御するサンプル出力制御手段として機能する。さらに、出力制御部４１は、再出力指示受付部４２により受け付けた再出力指示に基づいて、出力画像記憶部４３に記憶されている画像データのうち再出力を指示された画像データが出力されるように画像出力部３２を制御する画像出力制御手段として機能する。
【００３３】
次に、サンプルプリントを実行するよう設定されている場合に、サンプル出力制御手段として機能する出力制御部４１の動作の一例を図４を参照して説明する。
【００３４】
例えば、１００部毎にサンプルプリントを実行することが選択されている場合、出力制御部４１は、図４に示すように、画像出力部３２により印刷される印刷物のうち、１００部目、２００部目、・・・をサンプル出力５１、５２・・・としてＨＣＳ１１の上部トレイに出力する。なお、サンプル出力５１、５２として上部トレイに出力した印刷物と同じ印刷物をＨＳＣ１１にも出力するか否かは、予め設定されたサンプル出力方法に基づく。
【００３５】
次に、本実施形態における画像形成装置１０の動作を図５〜図７のフローチャートを参照して説明する。
【００３６】
先ず、サンプルプリントが設定されていない場合の動作を図５のフローチャートを参照して説明する。
【００３７】
出力制御部４１が端末装置２０から印刷ジョブを受け付けると、印刷データが生成されて出力画像記憶部４３に記憶される（ステップＳ１０１）。そして、出力制御部４１による制御に基づいて画像出力部３２により印刷処理が実行される（ステップＳ１０２）。そして、画像出力部３２の印刷結果は、ＨＣＳ１１内に排出される（ステップＳ１０３）。その結果、出力制御部４１は、印刷処理を実行した印刷データを出力画像記憶部４３から消去する（ステップＳ１０４）。そして、出力画像記憶部４３内に印刷処理を実行すべき印刷データがあるか否かが判定され（ステップＳ１０５）、印刷処理を実行すべき印刷データがある場合には、ステップＳ１０２〜Ｓ１０４の処理が繰り返され、印刷処理を実行すべき印刷データがなければ処理を終了する。
【００３８】
次に、サンプルプリントが設定されている場合の動作を図６のフローチャートを参照して説明する。
【００３９】
出力制御部４１が端末装置２０から印刷ジョブを受け付けると、印刷データが生成されて出力画像記憶部４３に記憶される（ステップＳ２０１）。そして、出力制御部４１による制御に基づいて画像出力部３２により印刷処理が実行される（ステップＳ２０２）。そして、サンプル出力の出力タイミングであるか、例えば１００部毎にサンプルプリントを行うような設定の場合には印刷処理を実行している印刷データが１００部目、２００部目当に該当するか否か、が判定される（ステップＳ２０３）。サンプル出力の出力タイミングではない場合には、画像出力部３２の印刷結果は、ＨＣＳ１１内に排出され（ステップＳ２０４）、サンプル出力の出力タイミングである場合には、画像出力部３２の印刷結果は、ＨＣＳ１１の上部トレイに排出される（ステップＳ２０５）。
【００４０】
そして、出力画像記憶部４３内に、印刷処理を実行すべき未実行の印刷データが格納されているか否かが判定され（ステップＳ２０６）、印刷処理を実行すべき未実行の印刷データがある場合には、ステップＳ２０２〜Ｓ２０５の処理が繰り返される。ステップＳ２０６において印刷処理を実行すべき未実行の印刷データがないと判定された場合には、サンプル出力の確認が完了した後（ステップＳ２０７）、出力画像記憶部４３に蓄積されていた印刷データが消去される（ステップＳ２０８）。
【００４１】
次に、図６のフローチャートにおけるステップＳ２０７のサンプル確認完了処理において行われる動作の詳細を図７のフローチャートに示す。
【００４２】
印刷ジョブの実行が全て終了すると、出力制御部４１は、表示装置３３に対して図８に示すようなサンプル確認画面を表示させる（ステップＳ３０１）。図８のような表示を確認したユーザは、ＨＳＣ１１の上部トレイに排出されたサンプル出力の印刷状態を確認して、再出力指示を行うか否かを決定する。ステップＳ３０１において再出力指示が行われた場合、出力制御部４１は、図９に示すような再出力指示画面を表示装置３３に表示させる（ステップＳ３０３）。図９に示した再出力指示画面では、２００部目から３００部目までの範囲を指定した再出力を指示する場合が例示されている。
【００４３】
そして、再出力指示受付部４２は、ユーザからの再出力範囲の指定を受け付ける（ステップＳ３０４）。すると、出力制御部４１は、再出力指示受付部４２により受け付けられた再出力範囲の再出力を画像出力部３２に対して実行する（ステップＳ３０５）。
【００４４】
再出力されたサンプル出力の印刷状態を確認したユーザによりサンプル出力確認が完了した旨の指示があった場合には（ステップＳ３０６）、処理は終了し、再出力されたサンプル出力の印刷状態を確認したユーザがサンプル出力の印刷状態に満足しない場合には、再度サンプル確認画面が表示装置３３に表示される（ステップＳ３０１）。
【００４５】
上記で説明したように、本実施形態の画像形成装置１０では、画像出力部３２により出力された印刷データは、サンプル出力の確認が終了するまで出力画像記憶部４３に記憶されており、画像を出力する範囲を指定した再出力指示が受け付けられた場合、出力制御部４１は、受け付けた再出力指示に基づいて出力済みの印刷データの再出力を行う。したがって、本実施形態の画像形成装置１０によれば、印刷物の一部を通常の排出先とは異なる排出先に排出するサンプルプリントを行う場合でも、出力範囲を指定した再出力指示を容易に行うことができる。
【００４６】
次に、サンプル出力とともにサンプル出力情報シートを排出するようにした場合の、本実施形態の画像形成装置１０の動作について説明する。
【００４７】
この場合には、出力制御部４１により、サンプル出力が画像出力部３２から出力される際に、当該サンプル出力に関する情報であるサンプル識別情報が印刷された用紙であるサンプル出力情報シートを各サンプル出力に対応して出力されるように画像出力部３２を制御する。
【００４８】
その結果、図１０に示すように、ＨＳＣ１１の上部トレイに排出される各サンプル出力の先頭には、サンプル出力情報シート６０が出力されることとなる。このサンプル出力情報シート６０には、サンプル識別情報が印刷されており、このサンプル識別情報には、サンプル出力を特定するためのサンプルＩＤや印刷ジョブ中の出力位置を示す情報が含まれている。
【００４９】
このようにサンプル出力情報シートをサンプル出力の先頭に出力する場合、サンプル確認画面には、図１１に示すように、サンプル出力情報シートに印刷されたサンプル識別情報のうちサンプルＩＤと出力位置の情報が画面上に表示されている。そして、この場合には、図１２に示すように、再出力指示画面にもサンプルＩＤが表示される。
そのため、サンプル出力の印刷状態を確認したユーザは、そのサンプル出力の先頭に出力されているサンプル出力情報シートを見てサンプルＩＤを確認することにより、サンプル出力と出力位置の関係を把握することができ、再出力指示を容易に行うことが可能となる。
【００５０】
[第２の実施形態]
次に、本発明の第２の実施形態の画像形成システムについて説明する。本実施形態の画像形成システムは、図１に示した第１の実施形態の画像形成システムに対して、画像形成装置１０を、図１３に示すような画像形成装置１０ａに置き換えたものである。なお、図１３において、図３中の構成要素と同一の構成要素には同一の符号を付し、説明を省略するものとする。
【００５１】
本実施形態における画像形成装置１０ａは、図１３に示されるように、コントローラ３１ａと、画像出力部３２と、表示装置３３と、画像読取部３４とを備えている。
【００５２】
画像読取部３４は、具体的にはスキャナ等により実現され、サンプル出力情報シートからサンプル識別情報を読み取る。
【００５３】
また、コントローラ３１ａは、出力制御部４１と、再出力指示受付部４２と、出力画像記憶部４３と、再出力指示生成部４４とから構成されている。
【００５４】
再出力指示生成部４４は、画像読取部３４により読み取られたサンプル識別情報に基づいて、再出力指示を生成して出力制御部４１に出力する。なお、再出力指示生成部４４は、画像読取部３４によりサンプル識別情報が印刷された２枚のサンプル出力情報シートが連続して読み取られた場合、読み取られた２つのサンプル識別情報により特定される範囲を指定した再出力指示を生成する。
【００５５】
なお、本実施形態における出力制御部４１は、再出力指示生成部４４により生成された再出力指示に基づいて、出力画像記憶部４３に記憶されている印刷データのうち再出力を指示された印刷データが出力されるように画像出力部３２を制御する。
【００５６】
再出力指示生成部４４において、文字として印刷されたサンプル識別情報を画像読取部３４により読み取ってサンプルＩＤ等を特定して再出力指示を生成するようにしてもよいが、サンプルＩＤ等を容易に読み取り可能な情報としてサンプル出力情報シート上に印刷するようにしてもよい。例えば、図１４に示した例では、画像読取部３４による読み取りがより容易なように、サンプル識別情報がＱＲ（Quick Response）コードのような２次元コード８０によりサンプル出力情報シート上に印刷されている。このように２次元コード８０によりサンプル識別情報を印刷することにより読み取り間違いを発生させることなくサンプル識別情報を読み取ることが容易になる。
【００５７】
次に、本実施形態の画像形成装置１０ａにおける再出力指示作成の際の動作を図１５のフローチャートを参照して説明する。
【００５８】
例えば、図１６に示すような再出力指示画面上で「再出力情報読取」ボタンが選択された場合、図１７に示すような再出力指示画面が表示される。
【００５９】
そして、ユーザが範囲指定の始点としたいサンプル出力情報シートを画像読取部３４にセットした後に、「表示反映（始点）」ボタンが選択されて始点読み取り指示が行われると（ステップＳ４０１）、画像読取部３４によりサンプル出力情報シートが読み取られる（ステップＳ４０２）。すると、再出力指示生成部４４では、読み取られたサンプル出力情報シート中のサンプル識別情報によりサンプルＩＤと出力位置を特定して再出力範囲の始点として設定する（ステップＳ４０３）。
【００６０】
次に、ユーザが範囲指定の終点としたいサンプル出力情報シートを画像読取部３４にセットした後に、「表示反映（終点）」ボタンが選択されて終点読み取り指示が行われると（ステップＳ４０４）、画像読取部３４によりサンプル出力情報シートが読み取られる（ステップＳ４０５）。すると、再出力指示生成部４４では、読み取られたサンプル出力情報シート中のサンプル識別情報によりサンプルＩＤと出力位置を特定して再出力範囲の終点として設定する（ステップＳ４０６）。
【００６１】
このようにして再出力範囲の始点と終点を設定した再出力指示生成部４４は、設定された始点と終点を範囲とする再出力指示を生成する（ステップＳ４０７）。
【００６２】
なお、２枚のサンプル出力情報シートが画像読取部３４にセットされた後に「表示反映（始終点）」ボタンが選択された場合には、２枚のサンプル出力情報シートが連続して読み取られ、読み取られた２つのサンプル識別情報により特定される範囲を指定した再出力指示が生成される。
【００６３】
本実施形態の画像形成装置１０ａによれば、サンプル識別情報が印刷されたサンプル出力情報シートを画像読取部３４により読み取らせるだけで再出力指示を行うことができるので、再出力範囲を直接入力する場合と比較して再出力指示を容易に行うことが可能となる。
【００６４】
また、本実施形態の画像形成装置１０ａによれば、サンプル識別情報が印刷された２枚のサンプル出力情報シートを画像読取部３４により読み取らせ、再出力範囲の始点と終点を設定して再出力指示を行うことができるので、再出力範囲を直接入力する場合と比較して再出力指示を容易に行うことが可能となる。
【００６５】
[変形例]
上記第１および第２の実施形態では、プリント処理を行う際にサンプルプリントを実施する場合を用いて説明したが、本発明はこれに限定されるものではなく、大量のコピー（複写）処理を行う際に、コピー結果の一部を抜き出して通常の排出先とは異なる排出先に排出するサンプルコピーを行う場合でも同様に本発明を適用することができるものである。
【図面の簡単な説明】
【００６６】
【図１】本発明の第１の実施形態の画像形成装置のシステム構成を示す図である。
【図２】本発明の第１の実施形態における画像形成装置１０のハードウェア構成を示すブロック図である。
【図３】本発明の第１の実施形態における画像形成装置１０の機能構成を示すブロック図である。
【図４】サンプルプリントを実行する出力制御部４１の動作の一例を説明するための図である。
【図５】サンプルプリントが設定されていない場合の画像形成装置１０の動作を示すフローチャートである。
【図６】サンプルプリントが設定されている場合の画像形成装置１０の動作を示すフローチャートである。
【図７】サンプル確認完了処理において行われる動作の詳細を示すフローチャートである。
【図８】表示装置３３に表示されるサンプル確認画面の一例を示す図である。
【図９】表示装置３３に表示される再出力指示画面の一例を示す図である。
【図１０】サンプル出力の先頭にサンプル出力情報シートが排出される様子を示す図である。
【図１１】サンプル出力情報シートが用いられた場合の、表示装置３３に表示されるサンプル確認画面の一例を示す図である。
【図１２】サンプル出力情報シートが用いられた場合の、表示装置３３に表示される再出力指示画面の一例を示す図である。
【図１３】本発明の第２の実施形態における画像形成装置１０ａの機能構成を示すブロック図である。
【図１４】本発明の第２の実施形態におけるサンプル出力情報シートを示す図である。
【図１５】本発明の第２の実施形態の画像形成装置１０ａにおける再出力指示作成の際の動作を示すフローチャートである。
【図１６】本発明の第２の実施形態の画像形成装置１０ａにおいて、表示装置３３に表示されるサンプル確認画面の一例を示す図である。
【図１７】本発明の第２の実施形態の画像形成装置１０ａにおいて、表示装置３３に表示される再出力指示画面の一例を示す図である。
【符号の説明】
【００６７】
１０、１０ａ    画像形成装置
１１    ＨＳＣ
２０    端末装置
２１    ＣＰＵ
２２    メモリ
２３    記憶装置
２４    通信インタフェース（ＩＦ）
２５    ユーザインタフェース（ＵＩ）装置
２６    スキャナ
２７    プリントエンジン
２８    制御バス
３０    ネットワーク
３１、３１ａ    コントローラ
３２    画像出力部
３３    表示装置
３４    画像読取部
４１    出力制御部
４２    再出力指示受付部
４３    出力画像記憶部
４４    再出力指示生成部
５１、５２    サンプル出力
６０    サンプル識別情報シート
７０    サンプル識別情報シート
８０    ２次元コード
【図１】
2009166304.tif 000003
【図２】
2009166304.tif 000004
【図３】
2009166304.tif 000005
【図４】
2009166304.tif 000006
【図５】
2009166304.tif 000007
【図６】
2009166304.tif 000008
【図７】
2009166304.tif 000009
【図８】
2009166304.tif 000010
【図９】
2009166304.tif 000011
【図１０】
2009166304.tif 000012
【図１１】
2009166304.tif 000013
【図１２】
2009166304.tif 000014
【図１３】
2009166304.tif 000015
【図１４】
2009166304.tif 000016
【図１５】
2009166304.tif 000017
【図１６】
2009166304.tif 000018
【図１７】
2009166304.tif 000019